Podtech/llm-jp-corpus-v4-ja_patent huggingface dataset:
【手続補正書】
【提出日】平成21年1月28日(2009.1.28)
【手続補正１】
【補正対象書類名】特許請求の範囲
【補正対象項目名】全文
【補正方法】変更
【補正の内容】
【特許請求の範囲】
【請求項１】
少なくとも静止画撮影モードと動画撮影モードとを設定可能な撮像装置であって、
表示手段と、
該撮像装置の基準位置に対する傾き量を検出する傾き検出手段と、
前記傾き検出手段によって検出された傾き量に基づく傾きガイド表示を前記表示手段の画面上に表示するための表示処理手段と、
設定される撮影モードに応じて、前記傾きガイド表示の表示を制御する表示制御手段とを備えたことを特徴とする撮像装置。
【請求項２】
前記表示制御手段は、動画撮影モードが設定される場合に、前記傾きガイド表示を表示しないように制御することを特徴とする請求項１に記載の撮像装置。
【請求項３】
前記傾き検出手段より検出される傾き量を増幅する検出量増幅手段を更に備え、
前記表示制御手段は、設定される撮影モードに応じて、前記検出量増幅手段の増幅率を変更し、増幅された傾き量に基く前記傾きガイド表示の表示を制御することを特徴とする請求項１に記載の撮像装置。
【請求項４】
前記表示制御手段は、静止画撮影モードが設定される場合に、前記検出量増幅手段の増幅率を動画撮影モードが設定される場合よりも大きくすることを特徴とする請求項３に記載の撮像装置。
【請求項５】
前記表示制御手段は、設定される撮影モードに応じて、前記傾きガイド表示の表示色を変更することを特徴とする請求項１に記載の撮像装置。
【請求項６】
前記表示制御手段は、設定される撮影モードに応じて、前記傾きガイド表示の表示形状を変更することを特徴とする請求項１又は５に記載の撮像装置。
【請求項７】
前記傾き検出手段によって検出された傾き量の高周波成分の変化を除去するフィルタ手段と、
前記傾き検出手段によって検出された傾き量に前記フィルタ手段による除去処理を施すか否かを切り換えるフィルタ切り換え手段とを更に備え、
前記表示処理手段は、前記傾き検出手段によって検出された傾き量又は前記フィルタ手段によって高周波成分の変化を除去した傾き量のいずれかに基づく傾きガイド表示を発生し、
前記表示制御手段は、設定される撮影モードに応じて、前記フィルタ切り換え手段を切り換えることで前記傾きガイド表示の表示を制御することを特徴とする請求項１に記載の撮像装置。
【請求項８】
前記表示制御手段は、動画撮影モードが設定される場合に、前記フィルタ手段による除去処理を施すように前記フィルタ切り換え手段を切り換えることを特徴とする請求項７に記載の撮像装置。
【請求項９】
前記表示制御手段は、動画撮影モードが設定される場合には、前記傾きガイド表示を静止画撮影モードが設定された場合よりも応答性を減じて表示するよう制御することを特徴とする請求項１に記載の撮像装置。
【請求項１０】
前記表示処理手段は、前記表示手段の画面上において前記傾きガイド表示を撮像画像に重畳することを特徴とする請求項１乃至９のいずれか１項に記載の撮像装置。
【請求項１１】
表示手段を有し、少なくとも静止画撮影モードと動画撮影モードとを設定可能な撮像装置の制御方法であって、
該撮像装置の基準位置に対する傾き量を検出する傾き検出工程と、
前記傾き検出工程によって検出された傾き量に基づく傾きガイド表示を前記表示手段の画面上に表示するための処理とともに、設定される撮影モードに応じて、前記傾きガイド表示の表示を制御する工程とを有することを特徴とする撮像装置の制御方法。
【請求項１２】
表示手段を有し、少なくとも静止画撮影モードと動画撮影モードとを設定可能な撮像装置を制御するためのコンピュータプログラムであって、
該撮像装置の基準位置に対する傾き量を検出する傾き検出処理と、
前記傾き検出処理によって検出された傾き量に基づく傾きガイド表示を前記表示手段の画面上に表示するための処理とともに、設定される撮影モードに応じて、前記傾きガイド表示の表示を制御する処理とをコンピュータに実行させることを特徴とするコンピュータプログラム。
【手続補正２】
【補正対象書類名】明細書
【補正対象項目名】０００９
【補正方法】変更
【補正の内容】
【０００９】
本発明の撮像装置は、少なくとも静止画撮影モードと動画撮影モードとを設定可能な撮像装置であって、表示手段と、該撮像装置の基準位置に対する傾き量を検出する傾き検出手段と、前記傾き検出手段によって検出された傾き量に基づく傾きガイド表示を、前記表示手段の画面上に表示するための表示処理手段と、設定される撮影モードに応じて、前記傾きガイド表示の表示を制御する表示制御手段とを備えたことを特徴とする。
また、本発明の制御方法は、表示手段を有し、少なくとも静止画撮影モードと動画撮影モードとを設定可能な撮像装置の制御方法であって、該撮像装置の基準位置に対する傾き量を検出する傾き検出工程と、前記傾き検出工程によって検出された傾き量に基づく傾きガイド表示を前記表示手段の画面上に表示するための処理とともに、設定される撮影モードに応じて、前記傾きガイド表示の表示を制御する工程とを有することを特徴とする。
また、本発明のコンピュータプログラムは、表示手段を有し、少なくとも静止画撮影モードと動画撮影モードとを設定可能な撮像装置を制御するためのコンピュータプログラムであって、該撮像装置の基準位置に対する傾き量を検出する傾き検出処理と、前記傾き検出工程によって検出された傾き量に基づく傾きガイド表示を、前記表示手段の画面上に表示するための処理とともに、設定される撮影モードに応じて、前記傾きガイド表示の表示を制御する処理とをコンピュータに実行させることを特徴とする。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
コンピュータネットワークにおいて、データパケットを検査する方法であって、１つ以上のデータパケットは、関連するヘッダデータおよびコンテンツを有しており、該方法は、
データパケットを受信するステップと、
該データパケットを調べて、該データパケットを分類するステップであって、該ヘッダおよびコンテンツに含まれる情報を用いて、該データパケットを分類することを含み、該コンテンツに基づいて該データパケットを分類することは、該パケットに関連するアプリケーションを決定することを含む、ステップと、
該ヘッダ情報および該コンテンツの両方に基づいて、該パケットを処理するためのフロー命令を決定するステップと、
コンテンツベースのプロトコルデコーディング、コンテンツベースのオブジェクト抽出またはコンテンツベースのパターンマッチングのうちの少なくとも１つを実行することを含む分類の後に、該フロー命令を用いて、該パケットを処理するステップと
を包含する、方法。
【請求項２】
前記データパケットを調べることは、前記コンテンツに基づいて、前記パケットを分類することを含む、請求項１に記載の方法。
【請求項３】
前記パケットを処理することは、コンテンツベースのプロトコルデコーディング、コンテンツベースのオブジェクト抽出またはコンテンツベースのパターンマッチングのうちの１つ以上の処理結果に基づいて、最初の分類をアップデートすることと、該パケットをさらに処理するために該アップデートされた分類を用いることとを含む、請求項１に記載の方法。
【請求項４】
前記パケットを処理することは、コンテンツベースのプロトコルデコーディング、コンテンツベースのオブジェクト抽出またはコンテンツベースのパターンマッチングのうちの少なくとも２つを含む、請求項１に記載の方法。
【請求項５】
前記パケットを処理することは、コンテンツベースのプロトコルデコーディングと、コンテンツベースのオブジェクト抽出と、コンテンツベースのパターンマッチングとを含む、請求項１に記載の方法。
【請求項６】
前記パケットを処理することは、ログすること、格納すること、前記パケットの通過を許可すること、アラームを設定すること、ブロックすること、または該パケットをドロップすることのうちの少なくとも１つを含む、請求項１に記載の方法。
【請求項７】
コンピュータネットワークにおいて、データパケットを検査する方法であって、１つ以上のデータパケットは、関連するヘッダデータおよびコンテンツを有しており、該方法は、
該データパケットを受信するステップと、
該データパケットを調べて、該データパケットを分類するステップであって、該データパケットのヘッダ部分に含まれる情報を用いて、該データパケットを分類することと、該データパケットのコンテンツ部分に基づいて、該データパケットを別々に分類することとを含み、該コンテンツ部分に基づいて該データパケットを別々に分類することは、該パケットに関連するアプリケーションを決定することを含む、ステップと、
該ヘッダ情報に基づいて、該データパケットを処理するためのフロー命令を決定するステップと、
該アプリケーションに基づくことを含む、該コンテンツ部分に基づいて、該データパケットを処理するための特別処理命令を決定するステップと、
該データパケットを処理するための該フロー命令および特別処理命令の中から、選択された命令を決定するステップと、
コンテンツベースのプロトコルデコーディング、コンテンツベースのオブジェクト抽出またはコンテンツベースのパターンマッチングのうちの少なくとも１つを実行することを含む分類の後で、該選択された命令に従って、該データパケットを処理するステップと
を包含する、方法。
【請求項８】
前記特別処理命令は、前記アプリケーションに基づいて、コンテンツベースのプロトコルデコーディングを実行するための命令を含む、請求項７に記載の方法。
【請求項９】
前記特別処理命令は、前記アプリケーションに基づいて、コンテンツベースのオブジェクト抽出を実行するための命令を含む、請求項７に記載の方法。
【請求項１０】
前記特別処理命令は、前記アプリケーションに基づいて、コンテンツベースのパターンマッチングを実行するための命令を含む、請求項７に記載の方法。
【請求項１１】
前記パケットを処理することは、ログすること、格納すること、前記パケットの通過を許可すること、アラームを設定すること、ブロックすること、または該データパケットをドロップすることを含む、請求項７に記載の方法。
【請求項１２】
デバイスであって、該デバイスは、
受信データパケットを分類するマルチモード分類エンジンであって、該マルチモード分類エンジンは、
データパケットを、該データパケットと関連するヘッダデータに従って分類するヘッダ分類エンジンであって、該ヘッダ分類エンジンは、第一の分類データを生成する、ヘッダ分類エンジンと、
データパケットを、該データパケットのコンテンツに従って分類するコンテンツ分類エンジンであって、該コンテンツ分類エンジンは、どのアプリケーションが該データパケットに関連するかに関するデータを含む、第二の分類データを生成する、コンテンツ分類エンジンと、
を備える、マルチモード分類エンジンと、
該データパケットを評価するセキュリティブロックであって、該評価することは、該第一および該アプリケーションデータを含む第二の分類データの両方を用いて、該データパケットを評価することを含む、セキュリティブロックと
を備える、デバイス。
【請求項１３】
前記マルチモード分類エンジンから前記第二の分類データを受信し、前記アプリケーションに基づいて、受信データパケットのコンテンツベースのプロトコルデコーディングを提供するように動作するプロトコルブロックをさらに備える、請求項１２に記載のデバイス。
【請求項１４】
前記マルチモード分類エンジンから前記第二の分類データを受信し、前記アプリケーションに基づいて、受信データパケットのコンテンツベースのオブジェクト抽出を提供するように動作するオブジェクト抽出ブロックをさらに備える、請求項１２に記載のデバイス。
【請求項１５】
前記マルチモード分類エンジンは、前記データパケットと関連するセッションデータを決定するセッションマネージャをさらに備える、請求項１２に記載のデバイス。
【請求項１６】
前記マルチモード分類エンジンは、前記第二の分類データによって、インデックスされ、かつ前記アプリケーションに基づいたルールをさらに備える、請求項１２に記載のデバイス。
【請求項１７】
前記コンテンツ分類エンジンは、署名マッチングエンジンを含む、請求項１２に記載のデバイス。
【請求項１８】
前記マルチモード分類エンジンは、１つ以上のパターンを含む前記署名マッチングエンジンによって使用される署名データベースをさらに備える、請求項１７に記載のデバイス。
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
グラフィクスストリームを再生する再生装置であって、
グラフィクスストリームをデコードすることにより対話画面を得るグラフィクスデコーダと、
対話画面に存在するボタン部材のうち、カレントボタンとなるものの番号を記憶するボタン番号レジスタと、
リモコンを介して、対話画面に対するユーザ操作を受け付ける受付手段とを備え、
前記グラフィクスストリームは、対話画面を、動画像に合成して表示させるものであり、パケットに格納された状態制御情報と、複数のパケットに格納された複数のグラフィクスデータ集合とをシーケンシャルに並べることで構成され、
前記ボタン部材は、ノーマル状態、セレクテッド状態、アクティブ状態の何れかの状態をとり、
複数のグラフィクスデータ集合には、ボタン部材のノーマル状態を表すグラフィクスデータから構成される第１のグラフィクスデータ集合、ボタン部材のセレクテッド状態を表すグラフィクスデータから構成される第２のグラフィクスデータ集合、ボタン部材のアクティブ状態を表すグラフィクスデータから構成される第３のグラフィクスデータ集合があり、これらは第１のグラフィクスデータ集合、第２のグラフィクスデータ集合、第３のグラフィクスデータ集合の順に、シーケンシャルに並べられており、
リモコンは、上下左右の４方向のうち、何れかを指定する旨のユーザ操作を受け付けるキー群を備え、
前記グラフィクスデコーダは、
対話画面に存在するボタン部材のうち、カレントボタンになるものを、セレクテッド状態に対応する第２グラフィクスデータ集合のグラフィクスデータを用いて表示し、それ以外のボタン部材を、ノーマル状態に対応する第１のグラフィクスデータ集合を用いて表示することで、対話画面の初期表示を実現し、
上下左右の４方向の何れかを指定する旨のユーザ操作があった場合、カレントボタンの周辺に位置するノーマル状態のボタン部材のうち、ユーザ操作により指定された方向に存在するものの番号をボタン番号レジスタに書き込み、当該書き込みによって、新たにカレントボタンになったボタン部材をノーマル状態からセレクテッド状態に変化させる
ことを特徴とする再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００１
【補正方法】変更
【補正の内容】
【０００１】
本発明は、BD-ROM等の再生装置に関し、動画像に複数ボタンからなる対話画面を合成させ、このボタンに対するユーザ操作に応じて再生制御を実現するという対話制御の技術に関する。
【手続補正４】
【補正対象書類名】明細書
【補正対象項目名】０００６
【補正方法】変更
【補正の内容】
【０００６】
本発明の目的は、アニメーションを伴った対話画面の表示を、遅滞なく実現することができる再生装置を提供することである。
【手続補正５】
【補正対象書類名】明細書
【補正対象項目名】０００７
【補正方法】変更
【補正の内容】
【０００７】
上記目的を達成するため、本発明に係る再生装置は、グラフィクスストリームを再生する再生装置であって、グラフィクスストリームをデコードすることにより対話画面を得るグラフィクスデコーダと、対話画面に存在するボタン部材のうち、カレントボタンとなるものの番号を記憶するボタン番号レジスタと、リモコンを介して、対話画面に対するユーザ操作を受け付ける受付手段とを備え、前記グラフィクスストリームは、対話画面を、動画像に合成して表示させるものであり、パケットに格納された状態制御情報と、複数のパケットに格納された複数のグラフィクスデータ集合とをシーケンシャルに並べることで構成され、前記ボタン部材は、ノーマル状態、セレクテッド状態、アクティブ状態の何れかの状態をとり、複数のグラフィクスデータ集合には、ボタン部材のノーマル状態を表すグラフィクスデータから構成される第１のグラフィクスデータ集合、ボタン部材のセレクテッド状態を表すグラフィクスデータから構成される第２のグラフィクスデータ集合、ボタン部材のアクティブ状態を表すグラフィクスデータから構成される第３のグラフィクスデータ集合があり、これらは第１のグラフィクスデータ集合、第２のグラフィクスデータ集合、第３のグラフィクスデータ集合の順に、シーケンシャルに並べられており、リモコンは、上下左右の４方向のうち、何れかを指定する旨のユーザ操作を受け付けるキー群を備え、前記グラフィクスデコーダは、対話画面に存在するボタン部材のうち、カレントボタンになるものを、セレクテッド状態に対応する第２グラフィクスデータ集合のグラフィクスデータを用いて表示し、それ以外のボタン部材を、ノーマル状態に対応する第１のグラフィクスデータ集合を用いて表示することで、対話画面の初期表示を実現し、上下左右の４方向の何れかを指定する旨のユーザ操作があった場合、カレントボタンの周辺に位置するノーマル状態のボタン部材のうち、ユーザ操作により指定された方向に存在するものの番号をボタン番号レジスタに書き込み、当該書き込みによって、新たにカレントボタンになったボタン部材をノーマル状態からセレクテッド状態に変化させることを特徴としている。
【手続補正書】
【提出日】平成21年3月31日(2009.3.31)
【手続補正１】
【補正対象書類名】明細書
【補正対象項目名】００２７
【補正方法】変更
【補正の内容】
【００２７】
以上の構成により軸受５の外輪51は、両側に弾接する板ばね16，16のばね力の力バランスにより支持孔13の中央に位置決めされるが、軸方向の力が加わった場合、板ばね16，16のばね力に抗して底壁14及び蓋板15との間隙の範囲内にて移動可能である。軸受５の内輪50は、回転軸４の中途に軸長方向への移動不可に固定されているから、回転軸４及び該回転軸４に固定されたロータ２は、支持孔13内にて生じる軸受５の外輪51の移動に伴って、内輪50と共に軸長方向へ移動することができる。
【手続補正２】
【補正対象書類名】明細書
【補正対象項目名】００２８
【補正方法】変更
【補正の内容】
【００２８】
他方の軸受６は、図１に示す如く、回転軸４の中途部に内輪を外嵌し、ハウジング１の他側端壁11に設けた支持孔17に外輪を内嵌して、該回転軸４を回転自在に支持している。軸受６の内外輪と回転軸４又は支持孔17との嵌め合わせは、少なくとも一方を所定の公差下での締まり嵌めとし、他方又は両方を所定の公差下でのすきま嵌めとしてある。例えば、軸受６の外輪と支持孔17とを締まり嵌めとし、軸受６の内輪と回転軸４とをすきま嵌めとした場合、該軸受６は、支持孔17を備えるハウジング１に対しては軸長方向の移動不可に拘束されるが、回転軸４に対しては軸長方向の移動が可能であり、内輪との間の滑りにより回転軸４及びロータ２の軸長方向の移動を許容することができる。
【手続補正書】
【提出日】平成21年5月29日(2009.5.29)
【手続補正１】
【補正対象書類名】特許請求の範囲
【補正対象項目名】請求項５
【補正方法】変更
【補正の内容】
【請求項５】
上記ベルト部は、上記保持部材がその上下方向への移動範囲の最上位にあるときにおいても、正面に向かって凹に湾曲している、請求項１ないし４のいずれかに記載の棒状部材用ハンガ。
【手続補正２】
【補正対象書類名】明細書
【補正対象項目名】０００２
【補正方法】変更
【補正の内容】
【０００２】
このような棒状部材用ハンガの一例として、たとえば、特許文献１に記載の清掃用具等のハンガが挙げられる。この清掃用具等のハンガの概略正面図を図９に示す。この図９においては、図中の下方が床面に向かう方向となっている。図９に示すハンガＸは、取付板９１と、一対のガイドロッド９２ａ，９２ｂと、各ガイドロッド９２ａ，９２ｂに案内される保持部材９３ａ，９３ｂと、各ガイドロッド９２ａ，９２ｂの上端をつなぐ連結杆９２ｃとを備えて構成されている。図９においては、このハンガＸが、棒状の柄体９４を保持している状態を示している。このハンガＸは、取付板９１の下端付近から延出する各ガイドロッド９２ａ，９２ｂに、各保持部材９３ａ，９３ｂが取り付けられている。各ガイドロッド９２ａ，９２ｂは、下方に行くほどその間隔が狭くなるようなＶ字状に形成されており、その上端同士は連結杆９２ｃで連結されている。この連結杆９２ｃはその中央部が図９の紙面垂直方向に陥没しており、柄体９４を受け止めることができるようにＵ字形に形成されている。
【手続補正３】
【補正対象書類名】明細書
【補正対象項目名】００１２
【補正方法】変更
【補正の内容】
【００１２】
好ましい実施の形態においては、上記ベルト部は、上記各挟持部の上下方向長さ寸法と同等の上下幅を有している。また、上記ベルト部は、上記保持部材がその上下方向への移動範囲の最上位にあるときにおいても、正面に向かって凹に湾曲している。このような構成によると、上記ベルト部に上記棒状部材を当てやすく、操作性が向上する。
【手続補正４】
【補正対象書類名】明細書
【補正対象項目名】００１７
【補正方法】変更
【補正の内容】
【００１７】
図１に、本発明に係る棒状部材用ハンガの一実施形態として、清掃具等を保持するハンガＡを示す。図１に示すように、ハンガＡは、壁Ｗに固定されており、清掃具Ｂを吊り下げて保持している。ハンガＡは、取付板１と、一対のガイドロッド２ａ，２ｂと、保持部材３とを備えて構成されており、清掃具Ｂの柄体４を保持している。すなわち、この実施形態に係るハンガＡは、棒状部材の一例として、清掃具Ｂの柄体４を保持するように構成されたものである。図２には、柄体４をハンガＡに固定する前の状態を正面図で示しており、図３は図２のIII-III線に沿う断面図であり、図４は図２のハンガＡを図２の右側
から見た側面図である。ただし、図４においては、説明のために一部を断面図としている。図６には、柄体４をハンガＡに固定した状態を正面図で示しており、図７は図６のVII-VII線に沿う断面図であり、図８は図６のハンガＡを図６の右側から見た側面図である。
図８においても図４同様に、一部を断面図としている。
【手続補正５】
【補正対象書類名】明細書
【補正対象項目名】００１８
【補正方法】変更
【補正の内容】
【００１８】
取付板１は、柄体４と向かい合う面を表面とし、壁Ｗと密着する面を裏面とし、この表面と裏面との間に一定の厚みを有するポリプロピレン製の略矩形状板である。この取付板１は、取付板１の厚さ方向を深さ方向とし、取付板１の表面に開口するネジ穴１ａを３個備えている。図１および図２に示すように、ネジ穴１ａは、取付板１の中央下端付近に１個、左右下寄りに１個ずつ配置されている。図４に示すように、ネジ７は、ネジ穴１ａの最深部と取付板１の裏面との間を貫通し、さらに壁Ｗに食い込むことで、取付板１を壁Ｗに固定している。
【手続補正６】
【補正対象書類名】明細書
【補正対象項目名】００１９
【補正方法】変更
【補正の内容】
【００１９】
各ガイドロッド２ａ，２ｂは、図２に示すように、左右対称な形状であり、下から上に向かうほど相互の間隔が開くように傾斜し、かつ、その間隔をより広げるように湾曲した形状に形成されている。また、図４に示すように、各ガイドロッド２ａ，２ｂはその上端および下端において、その一部が取付板１の厚さ方向へ向けて延びており、その終端部は取付板１に接着されている。この各ガイドロッド２ａ，２ｂは、たとえば硬質ナイロン等で形成されている。
【手続補正７】
【補正対象書類名】明細書
【補正対象項目名】００３１
【補正方法】変更
【補正の内容】
【００３１】
【図１】本発明に係る棒状部材用ハンガの一例を示す斜視図である。
【図２】図１に示すハンガＡの、清掃具Ｂを保持していない状態を示す正面図である。
【図３】図２のIII-III線に沿う断面図である。
【図４】図２のハンガＡを図２の右方から見た図である。
【図５】図３における筒状部材６を説明するための斜視図である。
【図６】図１に示すハンガＡの、清掃具Ｂを保持している状態を示す正面図である。
【図７】図６のVII-VII線に沿う断面図である。
【図８】図６のハンガＡを図６の右方から見た図である。
【図９】従来の棒上部材用ハンガを説明するための正面図である。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられ、複数種の絵柄を変動表示させる絵柄表示装置と、
前記絵柄の変動表示を開始させるべく操作される始動操作手段と、
前記絵柄の変動表示を停止させるべく操作される停止操作手段と、
前記始動操作手段の操作に基づいて前記絵柄の変動表示を開始させ、前記停止操作手段の操作に基づいて前記絵柄の変動表示を停止させるように前記絵柄表示装置を変動表示制御する変動表示制御手段と、
少なくとも前記変動表示制御手段に電力を供給する電力供給手段を有する電源装置と、
遊技機前方に開放されるとともに、前記絵柄表示装置や前記電源装置を搭載する筐体とを備え、
前記絵柄の変動表示が停止した場合、前記絵柄の停止結果に基づいて遊技者に特典を付与する遊技機において、
前記電源装置の上面及び下面には、それらの面を上下方向に貫通する貫通孔を形成し、前記筐体の底板部には、上下方向に貫通する通気孔を前記電源装置の下方位置に形成し、
前記通気孔を、遊技機後方又は遊技機側方の少なくとも一方に開放された形状としたことを特徴とする遊技機。
【請求項２】
前記電源装置を前記底板部に当接させて配置するとともに、前記電源装置の下面には、前記通気孔の上方に位置するように前記貫通孔を形成したことを特徴とする請求項１に記載の遊技機。
【請求項３】
前記電源装置により前記通気孔を塞いだことを特徴とする請求項１又は２に記載の遊技機。
【請求項４】
前記電源装置の下面には前記貫通孔を所定方向に並ぶように複数形成したことを特徴とする請求項３に記載の遊技機。
【請求項５】
前記筐体の背板部及び側板部を前記底板部の上面周端部に立設するとともに、前記底板部の周縁部に切欠部を設けたことを特徴とする請求項１乃至４のいずれか一項に記載の遊技機。
【請求項６】
前記切欠部を前記底板部の隅角に設けたことを特徴とする請求項５に記載の遊技機。
【請求項７】
前記通気孔を、遊技機側方及び遊技機後方に開放したことを特徴とする請求項１乃至６のいずれか一項に記載の遊技機。
【手続補正書】
【提出日】平成21年6月30日(2009.6.30)
【手続補正１】
【補正対象書類名】特許請求の範囲
【補正対象項目名】全文
【補正方法】変更
【補正の内容】
【特許請求の範囲】
【請求項１】
機器に回転自在に取着されるとともに、外周の長手方向に溝部を有するロータと略帯状の皮革清掃体を備え、前記皮革清掃体は、不織布及び極微細な気泡を有する多孔質化されたポリウレタンよりなる二重構造体にて形成されていることを特徴とする、回転ロータ。
【請求項２】
機器に回転自在に取着されるとともに、外周の長手方向に複数の溝部を有するロータと清掃体を備え、前記清掃体の少なくとも一つは、不織布及び極微細な気泡を有する多孔質化されたポリウレタンよりなる二重構造体にて形成された皮革清掃体を有していることを特徴とする、回転ロータ。
【請求項３】
皮革清掃体は、先端部にスリットを有することを特徴とする、請求項１または２に記載の回転ロータ。
【請求項４】
皮革清掃体は、先端部に段差を有することを特徴とする、請求項１〜３のいずれか１項に記載の回転ロータ。
【請求項５】
皮革清掃体は、少なくとも片面に起毛部を有することを特徴とする、請求項１〜４のいずれか１項に記載の回転ロータ。
【請求項６】
皮革清掃体は、少なくとも先端部は、二重構造体が複数枚重ね合わされて形成されていることを特徴とする、請求項１〜５のいずれか１項に記載の回転ロータ。
【請求項７】
皮革清掃体、または／及び清掃体は、回転ロータの長手方向の軸の周りに、らせん状に形成されていることを特徴とする、請求項１〜６のいずれか１項に記載の回転ロータ。
【請求項８】
請求項１〜７項のいずれか１項に記載の回転ロータを回転自在に設けた掃除機用床吸込具。
【請求項９】
電動送風機と、請求項８に記載の掃除機用床吸込具とを備え、前記電動送風機と前記掃除機用床吸込具とを連通させた電気掃除機。
【請求項１０】
空気を熱交換する熱交換器と、前記熱交換器の上流側に配され流入する空気中に含まれる塵埃を捕獲するエアフィルターと、請求項１〜７のいずれか１項に記載の回転ロータとを備え、該回転ロータが前記エアフィルターで捕獲された塵埃を除去するようにした空気調和機。
【手続補正２】
【補正対象書類名】明細書
【補正対象項目名】０００２
【補正方法】変更
【補正の内容】
【０００２】
従来のこの種の回転ロータとして、空気調和機に搭載され、ロータとそのロータの外周長手方向に植毛されたブラシ状の清掃体からなり、空気調和機に内蔵されたエアフィルターの表面に付着した塵埃を、前記清掃体で強制的に除去するようにしたものがある（例えば、特許文献１参照）。
【手続補正３】
【補正対象書類名】明細書
【補正対象項目名】００１９
【補正方法】変更
【補正の内容】
【００１９】
上記構成により、掃除機本体５０を運転し、ハンドルパイプ５５を操作して、掃除機用床吸込具１をフローリングやじゅうたん上で操作すると、掃除機用床吸込具１に内蔵されたモータ７により回転ロータ５が回転し、塵埃が軟質ブレード９や起毛布１０により掻き上げられ、電動送風機５２による吸引力で、空気と共に塵埃が、延長管５６、ホース５４を通って集塵室５１に流れ込みそこで塵埃が捕集される。
【手続補正４】
【補正対象書類名】明細書
【補正対象項目名】００４２
【補正方法】変更
【補正の内容】
【００４２】
第６の発明は、第１〜５の発明の皮革清掃体は、少なくとも先端部は、二重構造体が複数枚重ね合わされて形成されているので、前記皮革清掃体の腰が強くなり、かつ、連続して被清掃面に接触することにより、被清掃面の塵埃をより効果的に除去することができる。
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
遊技盤にフレーム部材を備え、該フレーム部材の内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記フレーム部材の前記入球口とステージ下部排球口の接続部分に対して着脱自在のワープ通路切替部材でもってフレーム部材とは別体構成としたことを特徴とする遊技機。
【請求項２】
遊技盤にフレーム部材を備え、該フレーム部材の内側部位に表示装置を配置し、前記表示装置の手前下にステージを設け、該ステージに、前記表示装置側の奥面に入球可能な入球口を臨ませ、該入球口と前記遊技盤前面側に開口するステージ下部排球口とを連通させる通路であって前記遊技盤裏面側の通路とは分断されたワープ通路を設けてある遊技機において、
前記入球口とステージ下部排球口との間のワープ通路の一部を前記フレーム部材とは別体構成とし、前記ワープ通路を、前記遊技盤裏面側の通路と連通されると共に前記入球口に入球した遊技球が前記ステージ下部排球口から排球されることなく前記遊技盤裏面側の通路に導かれる形態に変更できるようにしたことを特徴とする遊技機。
【請求項３】
遊技盤にフレーム部材を備え、該フレーム部材の内側部位に表示装置を配置し、前記表示装置の手前下にステージを設け、該ステージに、前記表示装置側の奥面に入球可能な入球口を臨ませ、該入球口を遊技機前面側のステージ下部排球口に連通させるワープ通路を設けてある遊技機において、
前記入球口とステージ下部排球口との間のワープ通路の一部を、前記フレーム部材の前記入球口とステージ下部排球口の接続部分に対して着脱自在の、入賞センサを備えた入賞センサ通路切替部材でもってフレーム部材とは別体構成としたことを特徴とする遊技機。
【請求項４】
前記フレーム部材には、前記ワープ通路切替部材と入賞センサ通路切替部材に共用の取り付け部と、前記ワープ通路切替部材を取り付けるためのワープ用取付部材と前記入賞センサ通路切替部材を取り付けるための入賞用取付部材に共用の取り付け部とが設けられ、前記ワープ通路切替部材又は入賞センサ通路切替部材及びワープ用取付部材又は入賞用取付部材、をフレーム部材の一部に対してネジ止めにより着脱自在に装着できるように構成してあることを特徴とする請求項１から請求項３のいずれかに記載の遊技機。
【請求項５】
前記ワープ用取付部材にワープ通路切替部材用発光基板が設けられ、前記ワープ通路切替部材の裏面側の所定位置には突部が遊技機裏面側に向けて突出され、前記ワープ通路切替部材用発光基板には前記突部を貫通させる開口が形成され、且つ、前記ワープ用取付部材の所定位置には、前記突部を嵌入させる筒部が設けられていることを特徴とする請求項４に記載の遊技機。
【請求項６】
前記入賞用取付部材に入賞センサ通路切替部材用発光基板が設けられ、前記入賞センサ通路切替部材の裏面側の所定位置には突部が遊技機裏面側に向けて突出され、前記入賞センサ通路切替部材用発光基板には前記突部を貫通させる開口が形成され、且つ、前記入賞用取付部材の所定位置には、前記突部を嵌入させる筒部が設けられていることを特徴とする請求項４に記載の遊技機。
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
遊技盤の遊技領域にフレーム部材を備え、該フレーム部材に表示装置を配置し、該表示装置の下方に凹凸を形成するステージを設け、該ステージの凸部位置に入球口を臨ませ、該入球口に入球した遊技球を直接又は所定の確率で入賞センサに誘導するように構成し、該入賞センサの感知信号を主制御装置に入力して所定の確率で抽選を行い、当たり抽選に際しては特別遊技状態に移行するように構成した遊技機において、
前記入球口に臨むステージ部分を、その入球口への入球確率が高くなるように可動させるよう構成し、
前記遊技領域にスルーゲートを設け、
該スルーゲートを通過した遊技球の感知信号を主制御装置に入力し、所定の抽選を行った後に当たり抽選の結果に基づいて前記ステージ部分を入球確率が高くなるように所定時間可動させるよう構成してあることを特徴とする遊技機。
【請求項２】
前記特別遊技状態において、前記スルーゲートを通過した遊技球の感知信号を主制御装置に入力し、所定の抽選を行った後に当たりの結果に基づいて前記ステージ部分を、更に一段と入球確率が高くなるように所定時間可動させるように構成してあることを特徴とする請求項１に記載の遊技機。
【請求項３】
前記ステージ部分の前縁部に横向き回動軸を設け、該回動軸の周りに該ステージ部分の後縁部が、通常の波形形成状態よりも下方に変位し、遊技球を前記入球口に高確率で誘導するように構成されていることを特徴とする請求項１又は請求項２に記載の遊技機。
【請求項４】
前記ステージ部分を、上側に位置する可動部と、その下側に位置する固定部の二層で構成し、前記可動部の左右何れか一側方に前後方向向き回動軸を設け、該回動軸の周りに該ステージ部分を倒立自在に回動変位させ、その倒立時に遊技球を前記入球口に高確率で誘導するように構成されていることを特徴とする請求項１又は請求項２に記載の遊技機。
【手続補正書】
【提出日】平成21年2月19日(2009.2.19)
【手続補正１】
【補正対象書類名】特許請求の範囲
【補正対象項目名】請求項１
【補正方法】変更
【補正の内容】
【請求項１】
正の利得傾斜特性を有し、入力された差動クロック信号の波形を補正して出力する交流成分増幅部と、
２つのＤラッチが従属接続されたＴフリップフロップを用いて構成され、前記交流成分増幅部によって補正された差動クロック信号を入力し、前記補正された差動クロック信号に対して周波数が１／２であって互いに９０度の位相差を持つ少なくとも２系統の出力信号を出力する分周回路とを備える９０度移相器。
【手続補正２】
【補正対象書類名】明細書
【補正対象項目名】００１４
【補正方法】変更
【補正の内容】
【００１４】
本発明にかかる９０度移相器は、交流成分増幅部及び分周回路を備える。前記交流成分増幅部は、正の利得傾斜特性を有し、入力された差動クロック信号の波形を補正して出力する。前記分周回路は、２つのＤラッチが従属接続されたＴフリップフロップを用いて構成され、前記交流成分増幅部によって補正された差動クロック信号を入力し、前記補正された差動クロック信号に対して周波数が１／２であって互いに９０度の位相差を持つ少なくとも２系統の出力信号を出力する。
【手続補正書】
【提出日】平成21年6月25日(2009.6.25)
【手続補正１】
【補正対象書類名】特許請求の範囲
【補正対象項目名】請求項１
【補正方法】変更
【補正の内容】
【請求項１】
車両外部を撮影する撮影装置によって撮影された撮影映像を、仮想視点から仮想視線で見た俯瞰映像に映像変換する映像変換手段と、
車両から障害物までの距離を検出する障害物センサとを備え、前記映像変換手段で映像変換した俯瞰映像を表示装置に表示させる表示制御装置において、
前記映像変換手段は、前記障害物センサによって検出された障害物までの距離に応じて、前記仮想視点および前記仮想視線を定めることを特徴とする表示制御装置。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
複数のアンテナエレメントを所定の配置関係で支持部材の表面に敷設して仮固定し、
前記複数のアンテナエレメント及び前記支持部材を溶融樹脂で包み込むようインサート成型を行うことを特徴とするアンテナの製造方法。
【請求項２】
前記支持部材に前記複数のアンテナエレメントを所定の配置関係で敷設するための溝を形成しておき、前記複数のアンテナエレメントを前記溝に敷設した後その上から押さえ部材を前記溝に嵌め込んで、前記複数のアンテナエレメントを仮固定することを特徴とする請求項１に記載のアンテナの製造方法。
【請求項３】
前記複数のアンテナエレメントの敷設に際して前記複数のアンテナを積み重ねるとともに前記複数のアンテナの間に絶縁シートを挟むことを特徴とする請求項１または２に記載のアンテナの製造方法。
【請求項４】
前記溶融樹脂は硬化後も弾力を有する樹脂であることを特徴とする請求項１から３の何れか一項に記載のアンテナの製造方法。
【請求項５】
支持部材と、
前記支持部材の表面に敷設して仮固定され、前記支持部材とともに溶融樹脂で包み込むようインサート成型が行われた複数のアンテナエレメントと、
を備えることを特徴とする通信機。
【請求項６】
前記支持部材には、前記複数のアンテナエレメントを所定の配置関係で敷設するための溝が形成されていることを特徴とする請求項５に記載の通信機。
【請求項７】
前記複数のアンテナエレメントを前記溝に敷設した後その上からを前記溝に嵌め込んで前記複数のアンテナエレメントを仮固定する押さえ部材を更に備え、
前記押さえ部材は、前記複数のアンテナエレメントとともにインサート成型されることを特徴とする請求項６に記載の通信機。
【請求項８】
前記複数のアンテナエレメントの敷設に際して前記複数のアンテナを積み重ねる際に前記複数のアンテナの間に挟まれる絶縁シートを、更に備えることを特徴とする請求項５に記載の通信機。
【請求項９】
前記溶融樹脂は硬化後も弾力を有する樹脂であることを特徴とする請求項５から８の何れか一項に記載の通信機。
【手続補正２】
【補正対象書類名】明細書
【補正対象項目名】発明の名称
【補正方法】変更
【補正の内容】
【発明の名称】アンテナの製造方法及び通信機
【手続補正３】
【補正対象書類名】明細書
【補正対象項目名】０００１
【補正方法】変更
【補正の内容】
【０００１】
本発明は、複数のアンテナエレメントを包み込んでインサート成型を行うアンテナの製
造方法及び通信機に関する。
【手続補正４】
【補正対象書類名】明細書
【補正対象項目名】０００５
【補正方法】変更
【補正の内容】
【０００５】
そこで、本発明は、複数のアンテナエレメントを正確な位置にインサートすることを目的とする。
【手続補正５】
【補正対象書類名】明細書
【補正対象項目名】０００９
【補正方法】変更
【補正の内容】
【０００９】
請求項４に係る発明は、前記溶融樹脂が硬化後も弾力を有する樹脂であることを特徴とする。
請求項５に係る発明は、前記支持部材の表面に敷設して仮固定され、前記支持部材とともに溶融樹脂で包み込むようインサート成型が行われた複数のアンテナエレメントと、
を備えることを特徴とする。
請求項６に係る発明は、前記支持部材には、前記複数のアンテナエレメントを所定の配置関係で敷設するための溝が形成されていることを特徴とする。
請求項７に係る発明は、前記複数のアンテナエレメントを前記溝に敷設した後その上からを前記溝に嵌め込んで前記複数のアンテナエレメントを仮固定する押さえ部材を更に備え、前記押さえ部材は、前記複数のアンテナエレメントとともにインサート成型されることを特徴とする。
請求項８に係る発明は、前記複数のアンテナエレメントの敷設に際して前記複数のアンテナを積み重ねる際に前記複数のアンテナの間に挟まれる絶縁シートを、更に備えることを特徴とする。
請求項９に係る発明は、前記溶融樹脂は硬化後も弾力を有する樹脂であることを特徴とする。
【手続補正６】
【補正対象書類名】明細書
【補正対象項目名】００１６
【補正方法】変更
【補正の内容】
【００１６】
第１アンテナエレメント３は金属材料からなり、平面視してＵ字状に形成されている。第１アンテナエレメント３は、開口２１の左側を囲うように溝２２に入れられている。溝２２内においては、溝２２の底に第１アンテナエレメント３が敷設されている。また、第１アンテナエレメント３の一端部に貫通孔３１が形成され、その貫通孔３１に突起２５が挿入されている。また、第１アンテナエレメント３の両縁であって溝２２の凹部２７に対応する箇所には、扇状の突起３２が形成され、突起３２が凹部２７に嵌入されている。
【手続補正書】
【提出日】平成21年6月2日(2009.6.2)
【手続補正１】
【補正対象書類名】特許請求の範囲
【補正対象項目名】全文
【補正方法】変更
【補正の内容】
【特許請求の範囲】
【請求項１】
水晶、ＧａＰＯ４、またはＬｉ２Ｂ４Ｏ７である基材により形成された基部と、
前記基部と同じ材料で一体に形成され、かつ前記基部から延びる少なくとも一対の振動腕と、
を備え、
前記振動腕の主面において、前記振動腕の中心線により分割された一方の領域に一方の第１の電極が形成され、他方の領域に他方の第１の電極が形成され、
前記一方および他方の第１の電極は互いに異極であり、
前記一方および他方の第１の電極の表面に圧電薄膜が形成され、
前記圧電薄膜を挟んで前記一方の第１の電極と対となるように、一方の第２の電極が前記圧電薄膜の表面に形成され、
前記圧電薄膜を挟んで前記他方の第１の電極と対となるように、他方の第２の電極が前記圧電薄膜の表面に形成され、
前記振動腕の前記主面における前記一方の第１の電極と前記他方の第１の電極との間に溝が形成されている
ことを特徴とする圧電振動片。
【請求項２】
前記基材は、水晶であり、
前記振動腕が、前記水晶のＸ軸（電気軸）に沿って延びるように形成されていることを特徴とする請求項１に記載の圧電振動片。
【請求項３】
前記一方および他方の第１の電極、前記圧電薄膜、第一方および他方の２の電極、および前記溝は、前記振動腕の表面側および裏面側に形成されていることを特徴とする請求項１または２に記載の圧電振動片。
【手続補正２】
【補正対象書類名】明細書
【補正対象項目名】０００８
【補正方法】変更
【補正の内容】
【０００８】
上記目的は、第１の発明にあっては、水晶、ＧａＰＯ４、またはＬｉ２Ｂ４Ｏ７である基材により形成された基部と、前記基部と同じ材料で一体に形成され、かつ前記基部から延びる少なくとも一対の振動腕と、前記振動腕の主面における前記振動腕の中心線を挟む領域のそれぞれに分割して形成され、互いに異極となる第１の電極と、前記第１の電極の表面に形成された圧電薄膜と、前記圧電薄膜を挟んで、前記第１の電極と対となるように前記圧電薄膜の表面に形成された第２の電極とを有し、前記振動腕の前記主面における前記第１の電極が形成された領域の間に溝が形成されていることを特徴とする圧電振動片により、達成される。
【手続補正３】
【補正対象書類名】明細書
【補正対象項目名】０００９
【補正方法】変更
【補正の内容】
【０００９】
第１の発明の構成によれば、前記基部から平行に延びる振動腕の表面に、第１および第２の電極が圧電薄膜を挟んで対となるように形成されているので、第１および第２の電極に駆動電圧が印加されると、該圧電薄膜内に電界が形成される。この電界形成により圧電薄膜が変形し、それにともなって、各振動腕が前記圧電薄膜の変形に応じて屈曲振動を行う。
このため、圧電振動片を小型に形成する上で、その外形が必ずしも理想的な形状とされなくても、屈曲振動に大きな影響がない。また、各振動腕には電極形成のための溝を設ける必要がない。したがって、溝による剛性低下の恐れが無いので、剛性低下による屈曲振動への悪影響を排除できる。そして、これらの理由により、小型化をする上での制約がなくなるので、容易に小型の圧電振動片を作ることができる。
さらに、本発明では、圧電薄膜と基材との関係でみると、基材より圧電薄膜はその厚みがはるかに薄いから、基材のもつ特性を生かして、屈曲振動を行わせることができる。そして、本発明の前記基材は、ヤング率が小さく、かつ周波数−温度特性が良好な基材により形成されていることから、低いヤング率によって、小型に形成しても比較的低い周波数を実現することができる。いいかえれば、周波数を高くせずに小型化が可能となる。
また、隣り合う電極間における基材を介しての電界形成、すなわちクロストークを抑制することができる。
【手続補正４】
【補正対象書類名】明細書
【補正対象項目名】００１０
【補正方法】変更
【補正の内容】
【００１０】
第２の発明は、第１の発明の構成において、  前記基材は、水晶であり、前記振動腕が、前記水晶のＸ軸（電気軸）に沿って延びるように形成されていることを特徴とする。
第２の発明の構成によれば、基材を水晶とすると、従来用いられていたシリコンと比較して、ヤング率においては、１００方位のシリコンが１３１（Ｇｐａ）（ギガパスカル）と硬い材料であるのに対して、水晶が７８（Ｇｐａ）と柔らかい材質であることから、周波数を十分低くすることができ、あるいは同じ周波数では、本発明の圧電振動片（圧電振動子）は約１／２の大きさとすることができる。
また、振動腕の表面で、幅方向に隣接する電極間でクロストークとなる電界がＹ軸方向に生じても、水晶ではＹ軸方向に圧電現象が生じない。このため隣接した電極間のクロストークの弊害を防止する上で、振動腕をＸ軸方向に沿って延びるように形成すると有利である。
【手続補正５】
【補正対象書類名】明細書
【補正対象項目名】００１１
【補正方法】変更
【補正の内容】
【００１１】
第３の発明は、第１または２の発明の構成において、前記一方および他方の第１の電極、前記圧電薄膜、第一方および他方の２の電極、および前記溝は、前記振動腕の表面側および裏面側に形成されていることを特徴とする。  
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
受信信号をディジタルベースバンド信号に復調する復調回路と、
復調された前記ディジタルベースバンド信号をフィルタリングする多段接続された複数のディジタル有限長インパルス応答フィルタと、を有し、
前記ディジタルベースバンド信号の電力値の利得制御の少なくとも一部は、前記複数のディジタル有限長インパルス応答フィルタのそれぞれの利得を可変制御することによって行われ、かつ、
前記複数のディジタル有限長インパルス応答フィルタは、入力ビット数に比べて出力ビット数が小さいことを特徴とする受信装置。
【請求項２】
請求項１記載の受信装置であって、
前記複数のディジタル有限長インパルス応答フィルタにおける前記入力ビット数に対する前記出力ビット数の低減量は、前記ビット数の低減に伴い増加する前記複数のディジタル有限長インパルス応答フィルタの周波数特性の変動量が所定の範囲内に収まるように定められることを特徴とする受信装置。
【請求項３】
受信装置の利得制御方法であって、
受信信号をディジタルベースバンド信号に復調し、
多段接続された複数のディジタル有限長インパルス応答フィルタにより前記ディジタルベースバンド信号をフィルタリングし、
前記複数のディジタル有限長インパルス応答フィルタのそれぞれの利得を可変制御することによって、前記ディジタルベースバンド信号の電力値の利得制御の少なくとも一部を行い、
前記複数のディジタル有限長インパルス応答フィルタは、入力ビット数に比べて出力ビット数が小さい、ことを特徴とする受信装置の利得制御方法。
【請求項４】
請求項３記載の受信装置の利得制御方法であって、
前記複数のディジタル有限長インパルス応答フィルタにおける前記入力ビット数に対する前記出力ビット数の低減量は、前記ビット数の低減に伴い増加する前記複数のディジタル有限長インパルス応答フィルタの周波数特性の変動量が所定の範囲内に収まるように定められることを特徴とする受信装置の利得制御方法。
【手続補正２】
【補正対象書類名】明細書
【補正対象項目名】００１２
【補正方法】変更
【補正の内容】
【００１２】
【特許文献１】特開平２０００−２５２７９４号公報
【特許文献２】特開平２００１−１８９６４４号公報
【特許文献３】特開昭６３−１０４５２９号公報
【特許文献４】特開平１−３００７０５号公報
【手続補正３】
【補正対象書類名】明細書
【補正対象項目名】００１５
【補正方法】変更
【補正の内容】
【００１５】
実施例の一形態によれば、受信信号をディジタルベースバンド信号に復調する復調回路と、復調された前記ディジタルベースバンド信号をフィルタリングする多段接続された複数のディジタル有限長インパルス応答フィルタと、を有する受信装置が与えられる。この受信装置において、ディジタルベースバンド信号の電力値の利得制御の少なくとも一部は、複数のディジタル有限長インパルス応答フィルタのそれぞれの利得を可変制御することによって行われ、複数のディジタル有限長インパルス応答フィルタは、入力ビット数に比べて出力ビット数が小さい。
【手続補正４】
【補正対象書類名】明細書
【補正対象項目名】００１６
【補正方法】変更
【補正の内容】
【００１６】
実施例の他の一形態によれば、受信装置の利得制御方法が与えられる。この方法は、受信信号をディジタルベースバンド信号に復調し、多段接続された複数のディジタル有限長インパルス応答フィルタにより前記ディジタルベースバンド信号をフィルタリングし、前記複数のディジタル有限長インパルス応答フィルタのそれぞれの利得を可変制御することによって、前記ディジタルベースバンド信号の電力値の利得制御の少なくとも一部を行う。上記複数のディジタル有限長インパルス応答フィルタは、入力ビット数に比べて出力ビット数が小さい。
【手続補正５】
【補正対象書類名】明細書
【補正対象項目名】００１７
【補正方法】削除
【補正の内容】
【手続補正書】
【提出日】平成21年6月17日(2009.6.17)
【手続補正１】
【補正対象書類名】特許請求の範囲
【補正対象項目名】請求項１
【補正方法】変更
【補正の内容】
【請求項１】
信号の導通及び遮断の制御を行う半導体スイッチ回路において、
前記半導体スイッチ回路は、直列に接続された複数段の電界効果型トランジスタから構成され、
前記複数段の電界効果型トランジスタのうち一部の電界効果型トランジスタのゲート幅を他の電界効果型トランジスタのゲート幅よりも狭く設定するとともに、ゲート幅を狭く設定した電界効果型トランジスタのゲート−ドレイン間及びゲート−ソース間に、固定容量のコンデンサを接続した半導体スイッチ回路。